(57)【要約】【課題】  キャップ本体の注出筒のヒンジ側を低くし、インナーリングの形状をヒンジの反対側を低くすることによりプルリングに干渉することを阻止し、プルリングの径を大きくしたヒンジキャップを提供すること。【解決手段】  キャップ本体と、ヒンジにより一体結合された蓋体とからなるヒンジキャップであって、キャップ本体は、外周壁と上壁、内周壁とからなる嵌合部と、注出筒とを具備しており、注出筒には、隔壁が設けられ、プルリングを立設した除去部が形成されており、注出筒の上端は、ヒンジ側の一定範囲が低く形成されており、蓋体は、頂壁とヒンジに連設される側周壁とを具備しており、頂壁下面には、注出筒内周に嵌合するインナーリングが垂設され、インナーリングの下端は、傾斜面となっており、ヒンジの反対側が短くなっていることを特徴とする。【選択図】  図１
2010105707.tif 000002
【特許請求の範囲】
【請求項１】
キャップ本体と、ヒンジにより一体結合された蓋体とからなるヒンジキャップであって、
キャップ本体は、外周壁と上壁、内周壁とからなる嵌合部と、注出筒とを具備しており、
注出筒には、隔壁が設けられ、プルリングを立設した除去部が形成されており、
注出筒の上端は、ヒンジ側の一定範囲が低く形成されており、
蓋体は、頂壁とヒンジに連設される側周壁とを具備しており、頂壁下面には、注出筒内周に嵌合するインナーリングが垂設され、
インナーリングの下端は、傾斜面となっており、ヒンジの反対側が短くなっていることを特徴とするヒンジキャップ。
【請求項２】
インナーリングの下端を傾斜面に代え、注出筒の上端より一定距離下方に位置するようにしたことを特徴とする請求項１記載のヒンジキャップ。
【請求項３】
プルリングの上面が、インナーリング下方に位置するようにしたことを特徴とする請求項１または２記載のヒンジキャップ。
【発明の詳細な説明】
【技術分野】
【０００１】
本発明は、ヒンジキャップ、とくに調味料、その他の食料液等を注出する容器のヒンジキャップに関するものである。
【背景技術】
【０００２】
注出筒内の除去部に立設されたプルリングの先端部位が、インナーリングの開閉旋回軌道の内側となるインナーリングの非接触位置に設けられるようにした合成樹脂製キャップは、従来より知られている（例えば、特許文献１参照）。
【特許文献１】特開２００６−６２６９０号公報
【発明の開示】
【発明が解決しようとする課題】
【０００３】
しかしながら、上記特許文献１記載のような従来の液注出容器のヒンジキャップにおいては、小型容器に使用するときにはヒンジキャップ自体も小さくなり、プルリングが小さくなって指を入れるのが困難になるという問題があった。
また、蓋体の開閉による回転軌跡によって蓋体のインナーリングがプルリングに干渉するので、プルリングの径が制限され、プルリングの径を大きくできないという問題もあった。
【０００４】
本発明は、上記問題を解決することを課題とし、キャップ本体の注出筒のヒンジ側を低くし、インナーリングの形状をヒンジの反対側を低くすることによりプルリングに干渉することを阻止し、プルリングの径を大きくしたヒンジキャップを提供することを目的とする。
【課題を解決するための手段】
【０００５】
本発明は、上記の問題を解決するため、ヒンジキャップとして、キャップ本体と、ヒンジにより一体結合された蓋体とからなるヒンジキャップであって、キャップ本体は、外周壁と上壁、内周壁とからなる嵌合部と、注出筒とを具備しており、注出筒には、隔壁が設けられ、プルリングを立設した除去部が形成されており、注出筒の上端は、ヒンジ側の一定範囲が低く形成されており、蓋体は、頂壁とヒンジに連設される側周壁とを具備しており、頂壁下面には、注出筒内周に嵌合するインナーリングが垂設され、インナーリングの下端は、傾斜面となっており、ヒンジの反対側が短くなっていることを特徴とする構成を採用する。
【０００６】
インナーリングの実施例として、インナーリングの下端を傾斜面に代え、注出筒の上端より一定距離下方に位置するようにしたことを特徴とする構成、或いは、プルリングの上面が、インナーリング下方に位置するようにしたことを特徴とする構成を採用する。
【発明の効果】
【０００７】
ヒンジキャップの注出筒のヒンジ側の一定範囲を低くし、インナーリングの下端のヒンジ反対側を短くすることにより、インナーリングがプルリングに接触することをなくしたので、プルリングの径を大きくすることが可能となり、小型容器に利用できるようになった。
【発明を実施するための最良の形態】
【０００８】
次に、本発明のヒンジキャップについて、実施例をあげ、図面を参照して説明する。
【実施例１】
【０００９】
図１、２において、Ａはキャップ本体、Ｂは蓋体、Ｃはヒンジ、Ｄは容器口筒部である。
キャップ本体Ａと蓋体Ｂは、ヒンジＣにより一体結合されている。
【００１０】
キャップ本体Ａは、外周壁１と上壁２と内周壁３とからなる嵌合部を具えており、外周壁１の下部内周には、容器口筒部Ｄの係合突条ａに係合する係止突条４が設けられ、上壁２の上方には、係合凸条５を有する係合リング６が立設されている。
【００１１】
内周壁３は、容器口筒部Ｄ内周に嵌合され、内周壁３上方には、注出筒７が連設されており、注出筒７の上端は、ヒンジＣ側の一定範囲は低く、残る範囲は高くされ、一定の上端ライン８が形成されている。
注出筒７のヒンジＣ反対側の上端は、ラッパ状の液切れ部となっている。
内周壁３の下方には、隔壁９が設けられ、薄肉破断溝１０によって注出口用の除去部１１が形成され、除去部１１のヒンジＣ側には、プルリング１２の支柱１３が立設されている。
【００１２】
蓋体Ｂは、頂壁１５と側周壁１６とを具えており、頂壁１５の下面には、注出筒７の内周に係合するインナーリング１７が垂設されている。
インナーリング１７の下端は傾斜して形成され、ヒンジＣ側下端１７ａは長く、反対側下端１７ｂは短く形成されている。
側周壁１６の下端部は係合リング６に係合し、係合凸条５に噛合する係合凹条１８が設けられている。
【００１３】
次に、本実施例ヒンジキャップの使用形態と、作用効果について、説明する。
図１に示すように、キャップ本体Ａに蓋体Ｂを嵌合し、内容液が充填された容器口筒部Ｄに、外周壁１、上壁２、内周壁３で構成されたキャップ本体Ａの嵌合部が嵌合し、ヒンジキャップを被嵌した容器が得られる。
【００１４】
図１、２に示すように、ヒンジキャップの注出筒７のヒンジＣ側の一定範囲を低く、インナーリング１７の下端は傾斜して形成され、ヒンジＣ側下端１７ａを長く、反対側下端１７ｂを短く形成されており、蓋体Ｂの開閉による回転軌跡によって、蓋体Ｂのインナーリング１７のヒンジＣ反対側下端１７ｂがプルリング１２の先端に干渉しないので、プルリング１２の径を大きくすることが可能となり、小型容器に採用可能となっている。
【００１５】
また、注出筒７を、上方に向かって漸増的に拡げると、プルリング１２の大きさが、さらによく確保できる。
【００１６】
内容液を注出するのには、大きくなったプルリング１２を指で引掛け引き上げると、薄肉破断溝１０より除去部１１が切断されて、注出口が開口され、注出可能となる。
【実施例２】
【００１７】
次に、インナーリングの形状を変更した第２実施例について説明する。
第１実施例と同一の構成については、同一の符号を用いて図示して説明を省略し、以下相違点を中心に説明する。
【００１８】
図３において、Ａはキャップ本体、Ｂａは蓋体、Ｃはヒンジ、Ｄは容器口筒部である。
【００１９】
キャップ本体Ａの上壁２には、ヒンジＣ側を低く設けた注出筒７が立設されており、注出筒７の上端は、第１実施例と同様に、ヒンジＣ側の一定範囲を低くして一定の上端ライン８を形成している。
【００２０】
蓋体Ｂａの頂壁１５からインナーリング２０が垂設され、インナーリング２０の下端は注出筒７の上端ライン８より一定距離下方に位置し、第１実施例と同様に、ヒンジＣ側下端２０ａは長く、ヒンジＣ反対側下端２０ｂは短く形成され、注出筒７内周に係合している。
プルリング１２の上端は、インナーリング２０より下方に位置するようになっている。
【００２１】
本実施例のキャップ付き容器の組立は、第１実施例と同様にでき、使用時には、第１実施例と同一の作用効果を得ることができる。
【００２２】
前記各実施例では、注出筒７を内周壁３上方に連設するようにしているが、注出筒７は、内周壁３の下端、または中間部、或いは上方への延長部の上端から内方に突設した連結部を介して連設してもよく、また、上壁を内方へ延長し、延長部に注出筒を連設してもよい。
さらにまた、連結部と注出筒との連設位置については、注出筒の中間部、または下方部であればよく、注出筒と内周壁との連設関係の構成については、実施例に限定されない。
【００２３】
前記各実施例では、内周壁３の下方に隔壁９を設け、注出筒７の隔壁としているが、隔壁は、注出筒７内周の下部または中間部に設けてもよく、隔壁の位置、注出筒との関連については、実施例に限定されない。
【産業上の利用可能性】
【００２４】
本発明は、ヒンジキャップの注出筒のヒンジ側を低く、同様にヒンジ側のインナーリングの形状を注出筒に合わせ高くすることにより、プルリングの径をより大きくすることが可能となり、食料液、その他の注出容器のヒンジキャップとして利用性が広がった。
【図面の簡単な説明】
【００２５】
【図１】本発明のヒンジキャップの縦断立面図である。
【図２】ヒンジキャップの開蓋状態の説明図で、（ａ）は上面図、（ｂ）は断面図である。
【図３】他の実施例の縦断立面図である。
【符号の説明】
【００２６】
Ａ        キャップ本体
Ｂ、Ｂａ  蓋体
Ｃ        ヒンジ
Ｄ        容器口筒部
ａ        係合突条
１        外周壁
２        上壁
３        内周壁
４        係止突条
５        係合凸条
６        係合リング
７        注出筒
８        上端ライン
９        隔壁
１０      薄肉破断溝
１１      除去部
１２      プルリング
１３      支柱
１５      頂壁
１６      側周壁
１７、２０  インナーリング
１７ａ、２０ａ  ヒンジ側下端
１７ｂ、２０ｂ  反対側下端
１８      係合凹部
【図１】
2010105707.tif 000003
【図２】
2010105707.tif 000004
【図３】
2010105707.tif 000005